(57)【特許請求の範囲】
【請求項１】
２本一対の弦で単一の音階を鳴らす複弦構造を有する弦鳴楽器において、前記一対の弦は単一の弦よりなり、ヘッド部側で前記単一の弦の両端部がそれぞれ弦巻に調弦可能に巻着されてなるとともに、胴部側で滑軸部材又は滑車部材若しくはベアリング部材からなる保持部においてループ状に連続し引張自在に周回保持されていることを特徴とする弦鳴楽器の複弦構造。
【請求項２】
２本一対の弦で単一の音階を鳴らす複弦構造を有する弦鳴楽器において、前記一対の弦の各弦はヘッド部側で各端部がそれぞれ弦巻に調弦可能に巻着されてなるとともに、胴部側で各端部が中央部に軸部を有する回動部材の軸部の両側に引張自在に取り付けられていることを特徴とする弦鳴楽器の複弦構造。
【発明の詳細な説明】
【０００１】
【発明の属する技術分野】
この発明は、弦鳴楽器に関し、特に弦鳴楽器の複弦構造に関する。
【０００２】
【従来の技術】
例えば、図１８に示すマンドリン８０や図示しない１２弦ギターに代表される複弦の弦鳴楽器は、２本一対の弦で単一の音階を鳴らすようにされたものである。この種複弦構造を有する弦鳴楽器にあっては、図１９のように、各弦８１をそれぞれ一本ずつ楽器の胴部８２後端の弦留め８３に固定し、ヘッド部の弦巻８４で各弦８１の張力を調整して、２本一対の弦８１Ａ，８１Ｂ，８１Ｃ，８１Ｄとして音調される。
【０００３】
しかるに、前記構造の弦鳴楽器にあっては、各弦８１が独立して弦留め８３と弦巻８４の間に張設されているものであるから、調弦に際しては２本一対の弦８１Ａ，８１Ｂ，８１Ｃ，８１Ｄの各弦８１の張力をそれぞれ微妙に調整しなければならない。
【０００４】
また、演奏中に一対に音調した２本の弦８１Ａ，８１Ｂ，８１Ｃ，８１Ｄのいずれかの弦８１の張力が変動する（緩む）ことがあるが、このような場合には一対に音調した２本の弦８１Ａ，８１Ｂ，８１Ｃ，８１Ｄに音程の狂いが生じ、音色が濁ってしまって演奏上好ましくない。
【０００５】
【発明が解決しようとする課題】
この発明は前記の点に鑑みなされたもので、２本一対の弦を常に同じ張力で保持する構造とすることにより、２本一対の弦の音調を簡単確実に調整でき、かつ演奏中にも常に同じ音程に保つことができる弦鳴楽器の複弦構造を提供するものである。
【０００６】
【課題を解決するための手段】
すなわち、請求項１の発明は、２本一対の弦で単一の音階を鳴らす複弦構造を有する弦鳴楽器において、前記一対の弦は単一の弦よりなり、ヘッド部側で前記単一の弦の両端部がそれぞれ弦巻に調弦可能に巻着されてなるとともに、胴部側で滑軸部材又は滑車部材若しくはベアリング部材からなる保持部においてループ状に連続し引張自在に周回保持されていることを特徴とする弦鳴楽器の複弦構造に係る。
【０００７】
また、請求項２の発明は、２本一対の弦で単一の音階を鳴らす複弦構造を有する弦鳴楽器において、前記一対の弦の各弦はヘッド部側で各端部がそれぞれ弦巻に調弦可能に巻着されてなるとともに、胴部側で各端部が中央部に軸部を有する回動部材の軸部の両側に引張自在に取り付けられていることを特徴とする弦鳴楽器の複弦構造に係る。
【０００８】
【発明の実施の形態】
以下添付の図面に従ってこの発明を詳細に説明する。
図１は請求項１の発明の一実施例に係るマンドリンの斜視図、図２は保持部として滑軸部材を用いた例を示す部分拡大斜視図、図３は同じく保持部として滑車部材を用いた例を示す部分拡大斜視図、図４はさらに保持部としてベアリング部材を用いた例を示す部分拡大斜視図、図５は保持部の取付構造を示す側面図、図６は保持部の取付構造の他の例を示す側面図、図７は保持部の取付構造の他の例を示す背面図、図８はベアリング部材よりなる保持部の斜視図、図９は図８の保持部の取付構造を示す部分断面図、図１０は駒に保持部を設けた例を表す部分断面図、図１１はその上面図、図１２は駒に保持部を設けた別の例を示す部分断面図、図１３は請求項２の発明の実施例を示す平面図、図１４は図１３のＸ−Ｘ線の断面図、図１５はヘッド部側に保持部を進退自在に設けた例を示す要部の平面図、図１６は図１５のＹ−Ｙ断面図、図１７はヘッド部側の保持部の別の例を示す平面図である。
【０００９】
図１に示すマンドリン１０は、２本一対の弦で単一の音階を鳴らす複弦構造の弦鳴楽器の一例として挙げるもので、従来技術の項で説明したものと略同様の外観を有する。マンドリン１０は胴部１１とネック部１２とヘッド部１３及び弦２０からなり、弦２０は２本一対の弦２１，２２，２３，２４で単一の音階を鳴らすようになっている。図において、符号１４は響板、１５は響孔、１６は振動板、１７は駒、１８は弦巻、１９はそのつまみである。
【００１０】
この発明の弦鳴楽器（マンドリン）１０にあっては、前記一対の弦２１，２２，２３，２４の一側の端部（図１の例では胴部１１側）がそれぞれ連続していて、対となる一方の弦（２０Ａ）の張力と他方の弦（２０Ｂ）の張力とが一定に保たれるようにしたことを特徴とするものである。
【００１１】
前記構造の一例として、請求項１に規定し図示するように、前記一対の弦２１，２２，２３，２４はそれぞれ単一の弦よりなり、ヘッド部１３側で前記単一の弦の両端部がそれぞれ弦巻１８に調弦可能に巻着されてなるとともに、胴部１１側で滑軸部材３０又は滑車部材３５若しくはベアリング部材４０からなる保持部においてループ状２０Ｃに連続し引張自在に周回保持された構造が開示される。図２は滑軸部材３０からなる保持部を示し、符号３１はその保持溝である。一対の弦２１，２２，２３，２４はそれぞれ単一の弦からなり、保持部３０において引張自在に周回保持されるものであるから、弦巻１８のつまみ１９を回して調弦することによって一方の弦２０Ａの張力と他方の弦２０Ｂの張力とを簡単確実に調整することができる。
【００１２】
保持部３０は、滑軸部材３０（図２）又は滑車部材３５（図３）若しくはベアリング部材４０（図４）とすることができる。図３に示す滑車部材３５は軸体３６を備えており、一対の弦２１，２２，２３，２４における一方の弦２０Ａと他方の弦２０Ｂとが、そのループ部２０Ｃで滑車部材３５の保持溝３７に引張自在に周回保持される。この滑車部材３５は軸体３６を介して回動するものであるから、弦２０の摩擦抵抗が少なく、よりスムーズな張力の均一性を保つことができる。
【００１３】
図４には保持部としてベアリング部材４０が示される。図示のベアリング部材４０は公知のボールベアリングで、符号４１は軸、４２は保持溝、４３はボール部を表す。ベアリング部材４０はより高い回動性能を持ち、ループ部２０Ｃにおいて周回保持された一対の弦２１，２２，２３，２４の一方の弦２０Ａと他方の弦２０Ｂはそれらの均一な張力がスムーズに保たれる。
【００１４】
図５ないし図７は前記保持部材３０（滑軸部材、滑車部材３５又はベアリング部材４０）の楽器に対する取付状態を表す図であって、図５は胴部１１の響板１４の表面に直接設けた例、図６は胴部１１の後端部から延設されたホルダ４５に設けた例、図７は胴部１１の響板１４後端の端末部１４Ａの切欠１４Ｂに設けた例である。
【００１５】
また、図８ないし図１２には他の取付構造が示される。すなわち、図８は保持部としてベアリング部材４０Ｆを用いた例であるが、この例では、一対の弦２１，２２，２３，２４を構成する弦２０Ａと２０Ｂのループ部２０Ｃがベアリング部材４０Ｆの軸部４１Ｆに周回保持されている。４２Ｆは保持溝である。この場合、このベアリング部材４０Ｆは、図９のように、響板の端末部１４Ｆに設置される。符号１４Ｇは一対の弦２０Ａ，２０Ｂを挿通する切欠窓である。
【００１６】
図１０は駒１７Ｍに保持部を設けた例である。この例は、駒１７Ｍに、図１１のような一対の弦２０Ａ，２０Ｂを一定幅で保持する保持軸部３０Ｍを設けたものである。符号３１Ｍは保持溝である。さらに、図１２は、ベース部材１７Ｌに駒部１７Ｎと保持軸部３０Ｎを設けた例である。符号３１Ｎは保持溝である。
【００１７】
上記した例はいずれも請求項１に規定した一対の弦２１，２２，２３，２４の一方の弦２０Ａと他方の弦２０Ｂとが単一の弦よりなり、ループ２０Ｃ状に連続している構造であるが、このほかに、請求項２として規定し図１３及び図１４に示す例が開示される。
【００１８】
すなわち、図１３に図示したように、一対の弦２１（２２，２３，２４）を構成する各弦２０Ａ，２０Ｂは独立していて、各弦はヘッド部１３側で各端部がそれぞれ弦巻１８に調弦可能に巻着されてなるとともに、胴部１１側で各端部が中央部に軸部５１を有する回動部材５０の前記軸部５１の両側に引張り自在に保持されている。
【００１９】
回動部材４０は、回動軸５１の両側に弦係止用の孔５２，５３を有していて、図１４のように一対の弦２１（２２，２３，２４）の各弦２０Ａ，２０Ｂの端末（ボールエンド）２５が取り付けられるようになっている。各弦２０Ａ，２０Ｂは回動部材４０によって連続保持され、軸部５１により回動自在であるから、一方の弦２０Ａの張力と他方の弦２０Ｂの張力とは一定に保たれる。弦巻１８の調弦による一方の弦２０Ａの張力の変動は、図の鎖線のように回動部材５０の回動変位により、他方の弦２０Ｂに伝達され両弦の張力は均等にバランスする。なお、この回動部材４０を用いた保持部の構造は、従来使用されている弦（１本ずつの弦）をそのまま使用できる利点がある。
【００２０】
図１５は、一対の弦２１，２２，２３，２４の連続端部が弦方向に進退自在に構成された構造に係る。すなわち、この例のマンドリン１０Ａにあっては、図１６からもよくわかるように、一対の弦２１，２２，２３，２４の一側の端部を連続して保持する保持部材６０が、調節ねじ６１によって弦２０の弦方向に進退する可動部材６５に固設されていて、調節ねじ６１の回動によって各一対の弦２１，２２，２３，２４の張力を調整することができる。符号１２Ａはネック部である。
【００２１】
図１７に図示のマンドリン１０Ｂも同様の構造であって、ここでは、調節ねじ６９が従来のようにヘッド部１３Ｂの側部に設けられている。図１７において、符号１２Ｂはネック部で、図１０と共通の符号は共通の構成を表す。
【００２２】
【発明の効果】
以上図示し説明したように、この発明の弦鳴楽器の複弦構造によれば、２本一対の弦の一側の端部を連続保持して常に同じ張力で保持する構造としたものであるから、２本一対の弦の音調を簡単確実に調整でき、かつ演奏中にも常に同じ音程に保つことができる。
【図面の簡単な説明】
【図１】請求項１の発明の一実施例に係るマンドリンの斜視図である。
【図２】保持部として滑軸部材を用いた例を示す部分拡大斜視図である。
【図３】保持部として滑車部材を用いた例を示す部分拡大斜視図である。
【図４】保持部としてベアリング部材を用いた例を示す部分拡大斜視図である。
【図５】保持部の取付構造を示す側面図である。
【図６】保持部の取付構造の他の例を示す側面図である。
【図７】保持部の取付構造の他の例を示す背面図である。
【図８】ベアリング部材よりなる保持部の斜視図である。
【図９】図８の保持部の取付構造を示す部分断面図である。
【図１０】駒に保持部を設けた例を表す部分断面図である。
【図１１】その上面図である。
【図１２】駒に保持部を設けた別の例を示す部分断面図である。
【図１３】請求項２の発明の実施例を示す平面図である。
【図１４】図１３のＸ−Ｘ線の断面図である。
【図１５】ヘッド部側に保持部を進退自在に設けた例を示す要部の平面図である。
【図１６】図１５のＹ−Ｙ断面図である。
【図１７】ヘッド部側の保持部の別の例を示す平面図である。
【図１８】従来のマンドリンの一例を示す斜視図である。
【図１９】従来の弦留めの構造の一例を示す側面図である。
【符号の説明】
１０  マンドリン
１１  胴部
１２  ネック部
１３  ヘッド部
１４  響板
２０  弦
２１，２２，２３，２４  一対の弦
２０Ａ、２０Ｂ  一対の弦を構成する各弦
３０  保持部（滑軸部材）
３５  滑車部材
４０  ベアリング部材
５０  回動部材
５１  回動軸
６０  保持部
６１  調節ねじ
６５  可動部材
【図１】
0003577428.tif 000002
【図２】
0003577428.tif 000003
【図３】
0003577428.tif 000004
【図４】
0003577428.tif 000005
【図５】
0003577428.tif 000006
【図６】
0003577428.tif 000007
【図７】
0003577428.tif 000008
【図８】
0003577428.tif 000009
【図９】
0003577428.tif 000010
【図１０】
0003577428.tif 000011
【図１１】
0003577428.tif 000012
【図１２】
0003577428.tif 000013
【図１３】
0003577428.tif 000014
【図１４】
0003577428.tif 000015
【図１５】
0003577428.tif 000016
【図１６】
0003577428.tif 000017
【図１７】
0003577428.tif 000018
【図１８】
0003577428.tif 000019
【図１９】
0003577428.tif 000020